(57)【要約】【課題】着用の初期に着用者が痒みを覚え難くすることが可能な、ＴＲＰチャネルを活性化する温感剤を含む吸収性物品を提供する。【解決手段】吸収性物品１は、吸収性物品の中央に位置する領域である中央部ＤＣと、中央部を囲繞し、中央部の外縁から吸収性物品の外縁までの領域である外周部ＤＥと、を含む。吸収性物品は、中央部の吸収層４上に配置され、ＴＲＰチャネルを活性化する温感剤を含む温感層９を備え、中央部と外周部との境界に、液透過性シート２及び吸収層を圧搾して形成された圧搾部８を有する。吸収層の外縁は、平面視で、圧搾部に隣接する外周部の外縁まで延在している。【選択図】図１
0003215313.tif 000002
【実用新案登録請求の範囲】
【請求項１】
互いに直行する長手方向、幅方向及び厚さ方向を有し、液透過性シートと、液不透過性シートと、前記液透過性シートと前記液不透過性シートとの間に配置された吸収層とを備える吸収性物品であって、
前記吸収性物品は、
平面視にて、前記吸収性物品の中央に位置する領域である中央部と、
前記中央部を囲繞し、前記中央部の外縁から前記吸収性物品の外縁までの領域である外周部と、を含み、
更に、前記吸収性物品は、
前記中央部内の少なくとも前記吸収層上に配置され、ＴＲＰチャネルを活性化する温感剤を含む温感層を備え、
前記中央部と前記外周部との境界のうちの、前記長手方向の両側の境界及び前記幅方向の両側の境界の少なくとも一方に、前記液透過性シート及び前記吸収層を圧搾して形成された圧搾部を有しており、
前記吸収層の外縁は、平面視で、前記圧搾部に隣接する前記外周部の外縁まで延在している、
吸収性物品。
【請求項２】
前記吸収性物品は、前記中央部と前記外周部との境界のうちの、前記長手方向の両側の境界及び前記幅方向の両側の境界に、前記圧搾部を有する、
請求項１に記載の吸収性物品。
【請求項３】
前記液透過性シート及び前記吸収層のうちの少なくとも前記液透過性シートは、賦形されている、
請求項１又は２に記載の吸収性物品。
【請求項４】
前記吸収性物品は、前記液透過性シートと前記吸収層との間に配置された中間シートを更に備え、
前記液透過性シートの繊維密度は前記中間シートの繊維密度より低く、前記中間シートの繊維密度は前記吸収層の繊維密度よりも低い、
請求項１乃至３のいずれか一項に記載の吸収性物品。
【請求項５】
前記吸収性物品は、前記液不透過性シートの非肌側に粘着層を更に備え、
前記粘着層の外縁が、平面視で、前記吸収性物品の外縁に重なるように配置されている、
請求項１乃至４のいずれか一項に記載の吸収性物品。
【請求項６】
前記温感剤は、ＴＲＰチャネルを活性化する温感成分と溶媒成分とを含み、
前記温感成分は、ＴＲＰＶ１レセプターに対するアゴニストを含む、
請求項１乃至５のいずれか一項に記載の吸収性物品。
【請求項７】
前記溶媒成分は、親油性溶媒を含む、
請求項６に記載の吸収性物品。
【請求項８】
前記液透過性シートは、綿、混綿、レーヨン、吸湿性発熱繊維又はこれらの少なくとも二種類を組み合わせた混合繊維で形成された不織布を含む、
請求項１乃至７のいずれか一項に記載の吸収性物品。
【請求項９】
前記吸収性物品は、パンティライナーである、
請求項１乃至８のいずれか一項に記載の吸収性物品。
【請求項１０】
前記吸収性物品は、発熱剤を含まない、
請求項１乃至９のいずれか一項に記載の吸収性物品。
【考案の詳細な説明】
【技術分野】
【０００１】
本考案は、温感剤を含む吸収性物品に関する。
【背景技術】
【０００２】
吸収性物品の着用者に皮膚を介して温感や冷感などを知覚させる等、着用者に所定の知覚を生じさせることのできる剤を含む吸収性物品が知られている。例えば、特許文献１には、着用者によって知覚される外部条件を作り出す必要なしに着用者に知覚を伝えることのできる剤を含む吸収性物品が開示されている。特許文献１によれば、その剤の例として、着用者の身体面上における温度変化を作り出す必要なしに、皮膚の温度受容器（例示：温熱）を刺激する加温剤（温感剤）が挙げられている。
【先行技術文献】
【特許文献】
【０００３】
【特許文献１】特表２００４−５２８０９０号公報
【考案の概要】
【考案が解決しようとする課題】
【０００４】
本考案者は、温感剤を含む吸収性物品を検討した結果、今回以下の事実を見出した。すなわち、特許文献１に記載されるような加温剤には、鉄粉等の発熱剤と比較して、着用者が吸収性物品を着用してから所望の温度を感じるまでの時間（以下、「温熱感知時間」ともいう。）が長い、という傾向がある。温熱感知時間が長いと、着用者が吸収性物品を着用してから温感を覚えるまでの間に、温感剤により痒みを覚える場合が起こり得る。
【０００５】
したがって、本考案の目的は、着用の初期に着用者が痒みを覚え難くすることが可能な、ＴＲＰチャネルを活性化する温感剤を含む吸収性物品を提供することにある。
【課題を解決するための手段】
【０００６】
本考案における吸収性物品は、互いに直行する長手方向、幅方向及び厚さ方向を有し、液透過性シートと、液不透過性シートと、前記液透過性シートと前記液不透過性シートとの間に配置された吸収層とを備える吸収性物品であって、前記吸収性物品は、平面視にて、前記吸収性物品の中央に位置する領域である中央部と、前記中央部を囲繞し、前記中央部の外縁から前記吸収性物品の外縁までの領域である外周部と、を含み、更に、前記吸収性物品は、前記中央部内の少なくとも前記吸収層上に配置され、ＴＲＰチャネルを活性化する温感剤を含む温感層を備え、前記中央部と前記外周部との境界のうちの、前記長手方向の境界及び前記幅方向の境界の少なくとも一方に、前記液透過性シート及び前記吸収層を圧搾して形成された圧搾部を有しており、前記吸収層の外縁は、平面視で、前記圧搾部に隣接する前記外周部の外縁まで延在している、吸収性物品。
【考案の効果】
【０００７】
本考案により、着用の初期に着用者が痒みを覚え難くすることが可能な、ＴＲＰチャネルを活性化する温感剤を含む吸収性物品を提供することができる。
【図面の簡単な説明】
【０００８】
【図１】実施形態に係る吸収性物品の構成例の部分破断斜視図である。
【図２】図１の構成例のＩＩ−ＩＩ線に沿った断面図である。
【図３】図１の他の構成例のＩＩ−ＩＩ線に沿った断面図である。
【考案を実施するための形態】
【０００９】
具体的には、本考案の開示は以下の態様に関する。
［態様１］
互いに直行する長手方向、幅方向及び厚さ方向を有し、液透過性シートと、液不透過性シートと、前記液透過性シートと前記液不透過性シートとの間に配置された吸収層とを備える吸収性物品であって、前記吸収性物品は、平面視にて、前記吸収性物品の中央に位置する領域である中央部と、前記中央部を囲繞し、前記中央部の外縁から前記吸収性物品の外縁までの領域である外周部と、を含み、更に、前記吸収性物品は、前記中央部内の少なくとも前記吸収層上に配置され、ＴＲＰチャネルを活性化する温感剤を含む温感層を備え、前記中央部と前記外周部との境界のうちの、前記長手方向の両側の境界及び前記幅方向の両側の境界の少なくとも一方に、前記液透過性シート及び前記吸収層を圧搾して形成された圧搾部を有しており、前記吸収層の外縁は、平面視で、前記圧搾部に隣接する前記外周部の外縁まで延在している、吸収性物品。
【００１０】
ＴＲＰチャネルを活性化する温感剤を用いて着用者に温感を知覚させるためには、水分が必要である。水分により、着用者の肌の主に角質層が水分で膨潤し、温感剤が、角化細胞（ケラチノサイト）に主に存在するＴＲＰチャネルに到達し易くなるからである。そこで、本吸収性物品では、吸収性物品の中央部内に温感層が配置され、中央部と外周部との境界のうちの長手方向及び／又は幅方向の両側の境界に圧搾部が形成され、吸収層の外縁が平面視で圧搾部に隣接する外周部の外縁（すなわち吸収性物品の外縁）まで延在している。そのため、吸収性物品における圧搾部よりも外側の外縁近傍において、吸収層の少なくとも外縁が周辺雰囲気に露出しているので、水分（湿気）を吸収し易い吸収層によって、周辺雰囲気の水分（湿気）を取り込むことができる。ここで、吸収性物品では圧搾部における吸収層の繊維密度が相対的に高く、したがって、吸収性物品における圧搾部よりも外側の外縁近傍では、吸収層の繊維密度が相対的に低く、圧搾部に向かうに連れてその繊維密度が相対的に高くなっている。したがって、外縁近傍において、吸収層にて取り込まれた水分を、繊維密度の勾配により圧搾部へ引き込むことができる。そして、圧搾部付近では水分の量が増加し、かつ高濃度になるため、その水分を圧搾部から肌側へ蒸気又は水滴として放出させることができる（非肌側へは液不透過性シートが存在するため水分を放出できない）。それにより、着用者の肌近傍の水分を多くでき、温感剤をＴＲＰチャネルに到達し易くできる。その結果、温熱感知時間を短くでき、着用者が温熱感知時間に痒みを覚えることを抑制できる。すなわち、着用の初期に着用者が痒みを覚え難くすることが可能な、ＴＲＰチャネルを活性化する温感剤を含む吸収性物品を提供できる。
【００１１】
［態様２］
前記吸収性物品は、前記中央部と前記外周部との境界のうちの、前記長手方向の両側の境界及び前記幅方向の両側の境界に、前記圧搾部を有する、態様１に記載の吸収性物品。
本吸収性物品では、中央部を囲むように、すなわち温感層を囲むように圧搾部が形成され、吸収層の全周の外縁が平面視で圧搾部を囲む外周部の外縁（すなわち吸収性物品の外縁）まで延在している。そのため、温感層を囲む広い範囲の外周部において、吸収層により、より多くの水分（湿気）を取り込むことができる。それにより、着用者の肌近傍の水分をより多くでき、温感剤をＴＲＰチャネルにより到達し易くできる。その結果、温熱感知時間をより短くでき、着用者が温熱感知時間に痒みを覚えることをより抑制できる。
【００１２】
［態様３］
前記液透過性シート及び前記吸収層のうちの少なくとも前記液透過性シートは、賦形されている、態様１又は２に記載の吸収性物品。
本吸収性物品では、液透過性シート、又は、液透過性シート及び吸収層が賦形されている。そのため、液透過性シート、又は、液透過性シート及び吸収層は、少なくとも圧搾部よりも外縁側の部分において、表面積をより大きくすることができ、したがって、より多くの水分（湿気）を取り込むことができる。それにより、着用者の肌近傍の水分をより多くでき、温感剤をＴＲＰチャネルにより到達し易くできる。その結果、温熱感知時間をより短くでき、着用者が温熱感知時間に痒みを覚えることをより抑制できる。
【００１３】
［態様４］
前記吸収性物品は、前記液透過性シートと前記吸収層との間に配置された中間シートを更に備え、前記液透過性シートの繊維密度は前記中間シートの繊維密度より低く、前記中間シートの繊維密度は前記吸収層の繊維密度よりも低い、態様１乃至３のいずれか一項に記載の吸収性物品。
本吸収性物品では、繊維密度が吸収層、中間シート及び液透過性シートの順に、すなわち非肌側から肌側へ順に低くなる。そのため、吸収層に配置された温感剤が濃度勾配により液透過性シート側へ拡散するとき、上記繊維密度の勾配により、拡散の進行を遅くすることができる。その結果、温感剤を少しずつ肌面へ到達させることができ、着用者が痒みを覚える時間を遅らせることができる。それにより、着用者が痒みを覚える前に、取り込まれた水分を肌側に供給することができる。よって、着用者が温熱感知時間に痒みを覚えることをより抑制できる。
【００１４】
［態様５］
前記吸収性物品は、前記液不透過性シートの非肌側に粘着層を更に備え、前記粘着層の外縁が、平面視で、前記吸収性物品の外縁に重なるように配置されている、態様１乃至４のいずれか一項に記載の吸収性物品。
本吸収性物品では、吸収性物品の外縁まで、すなわち外周部の外縁まで粘着層が配置されているので、装着時に外周部が折り返ってしまい周辺雰囲気から水分（湿気）を取り込めなくなる事態を抑制できる。それにより、着用者の肌近傍の水分を多くして温熱感知時間を短くできる効果をより確実に奏することができ、着用者が温熱感知時間に痒みを覚えることをより抑制できる。
【００１５】
［態様６］
前記温感剤は、ＴＲＰチャネルを活性化する温感成分と溶媒成分とを含み、前記温感成分は、ＴＲＰＶ１レセプターに対するアゴニストを含む、態様１乃至５のいずれか一項に記載の吸収性物品。
本吸収性物品では、温感剤の温感成分がＴＲＰＶ１レセプターに対するアゴニストである。そのため、吸収性物品の着用時に、吸収性物品を発熱させなくても、着用者が、ＴＲＰＶ１レセプターの活性化温度閾値である、４３℃超の温度を感じることができる。それにより、温感層の効果をより維持・向上させつつ、着用者が温熱感知時間に痒みを覚えることを抑制できる。
【００１６】
［態様７］
前記溶媒成分は、親油性溶媒を含む、態様６に記載の吸収性物品。
本吸収性物品では、溶媒成分は、親油性溶媒を含んでいる。それにより、温感層の温感剤が吸収層に移動し難く、吸収層の吸収性能を阻害し難くすることができる。更に、溶媒成分が親油性溶媒を含むため、溶媒成分が蒸散し難く、温感剤を着用者に長期に亘り効率的に供給することができ、温感効率を低下し難くすることができる。ただし、本願考案者が確認したところ、温感剤を構成する溶媒成分が親油性溶媒を含む場合には、温感剤を構成する溶媒成分が親水性溶媒、例えば、水である場合と比較して、温熱感知時間が長くなる傾向があった。しかし、本吸収性物品は、上記の所定の構成を有するため、温熱感知時間を短くすることができ、着用者が痒みを覚え難くすることができる。れにより、温感層の効果をより維持しつつ、着用者が温熱感知時間に痒みを覚えることを抑制できる。
【００１７】
［態様８］
前記液透過性シートは、綿、混綿、レーヨン、吸湿性発熱繊維又はこれらの少なくとも二種類を組み合わせた混合繊維で形成された不織布を含む、態様１乃至７のいずれか一項に記載の吸収性物品。
本吸収性物品では、液透過性シートが周辺雰囲気から水分（湿気）を吸収し易い綿、混綿、レーヨン、吸湿性発熱繊維又はこれらの少なくとも二種類を組み合わせた混合繊維の不織布を含んでいる。そのため、吸収層と同様に、液透過性シートにおける圧搾部の両外側の部分で周辺雰囲気境の水分（湿気）を取り込むことができると共に、液透過性シートの肌側の表面全体で周辺雰囲気から水分（湿気）を取り込むことができる。それにより、着用者の肌近傍の水分を多くした温熱感知時間を短くできる効果をより確実に奏することができ、着用者が温熱感知時間に痒みを覚えることをより抑制できる。
【００１８】
［態様９］
前記吸収性物品は、パンティライナーである、態様１乃至８のいずれか一項に記載の吸収性物品。
本吸収性物品では、吸収性物品が、パンティライナーである。そのため、吸収性物品は、吸収性能を発揮するとともに、温熱感知時間に着用者の下腹部の痒みを抑えつつ、着用者の下腹部に温感を付与することができる。
【００１９】
［態様１０］
前記吸収性物品は、発熱剤を含まない、態様１乃至９のいずれか一項に記載の吸収性物品。
本吸収性物品では、吸収性物品が、発熱剤を含まない。そのため、温熱感知時間に着用者の下腹部の痒みを抑えつつ、吸収性物品を長時間使用する場合であっても、着用者に低温やけどを生じさせ難くすることができる。
【００２０】
以下、実施形態に係る吸収性物品について、パンティライナーを例として説明する。ただし、本発明は、その例に限定されるものでは無く、本発明の主題の範囲を逸脱しない限り、種々の吸収性物品に対して適用可能である。
【００２１】
本実施形態に係るパンティライナー１の構成について説明する。
図１〜図２は本実施形態に係るパンティライナー１の構成例を示す図である。図１は展開した状態のパンティライナー１の部分破断斜視図を示し、図２は図１のＩＩ−ＩＩ線に沿った断面図を示す。パンティライナー１は、互いに直交する長手方向Ｌ、幅方向Ｗ及び厚さ方向Ｔを有し、幅方向Ｗの中心を通り長手方向Ｌに延びる長手方向中心線ＣＬ及び長手方向Ｌの中心を通り幅方向Ｗに延びる幅方向中心線ＣＷを有する。また、長手方向中心線ＣＬに向かう方向及び遠ざかる方向を、それぞれ幅方向Ｗの内側の方向及び外側の方向とする。幅方向中心線ＣＷに向かう方向及び遠ざかる方向を、それぞれ長手方向Ｌの内側の方向及び外側の方向とする。長手方向Ｌ及び幅方向Ｗを含む平面内の方向を平面方向とする。平面方向における長手方向中心線ＣＬと幅方向中心線ＣＷとの交点に向かう方向及び遠ざかる方向を、それぞれ平面方向の内側の方向及び外側の方向とする。平面方向における長手方向Ｌ及び幅方向Ｗを含む平面上に置いたパンティライナー１を厚さ方向Ｔの上方側から見ることを「平面視」といい、平面視で把握される形状を「平面形状」という。「肌側」及び「非肌側」とはパンティライナー１の着用時に、パンティライナー１の厚さ方向Ｔにおいて相対的に着用者の肌面に近い側及び肌面から遠い側をそれぞれ意味する。長手方向Ｌ、幅方向Ｗ及び厚さ方向Ｔの各々に「沿う」とは、幅方向Ｗ及び厚さ方向Ｔの各々に平行な場合だけでなく、平行な方向から±４５度の範囲内を含む。これらの方向などは、図１のパンティライナー１を構成する資材についても同様に適用される。
【００２２】
パンティライナー１は、長手方向Ｌに延びる略長方形であって、短辺が外側にやや膨らみ、長辺が内側にやや窪んだ形状を有する。ただし、パンティライナー１の形状は、少なくとも所定の幅を有し、長手方向Ｌに延在する形状であれば特に制限は無い。パンティライナー１は、着用時に着用者の肌に当接する液透過性シート２と、着用時に着衣に当接する液不透過性シート３と、液透過性シート２及び液不透過性シート３の間に配置された吸収層４とを備えている。すなわち、液透過性シート２と吸収層４と液不透過性シート３とがこの順番で厚さ方向Ｔに積層されている。本実施形態では、液透過性シート２と吸収層４との間及び吸収層４と液不透過性シート３との間が、それぞれ接着剤（例示：ホットメルト型接着剤）を介して接合されている。また、本実施形態では、液透過性シート２と吸収層４と液不透過性シート３とは、平面視で同一形状を有し、液透過性シート２の端部２１の外縁２１ｅと、吸収層４の端部４１の外縁４１ｅと、液不透過性シート３の端部３１の外縁３１ｅとが平面視で（厚さ方向Ｔに）重なっている。そして、それらの外縁２１ｅ、４１ｅ、３１ｅは、パンティライナー１の外縁１０を構成している。したがって、吸収層４の端部４１の外縁４１ｅが周囲雰囲気に露出している。
【００２３】
本実施形態では、液透過性シート２は、厚さ方向Ｔにおいて肌側に突出し、幅方向Ｗに連続的に延びる凸部２０ａと、厚さ方向Ｔにおいて非肌側に窪み、幅方向Ｗに延びる凹部２０ｂとが、長手方向Ｌに交互に配置された凹凸構造２０を有する。液透過性シート２は、少なくとも一部の凹部２０ｂが接合部７（例示：ホットメルト接着剤）により吸収層４と接合されている。ただし、図１において、パンティライナー１の外縁１０近傍における凹凸構造２０の記載は省略されている。このような凹凸構造２０により、液透過性シート２の表面積を大きくでき、したがって周辺雰囲気に接する面積を大きくできると共に、良好なクッション性を得ることができる。ただし、凸部２０ａ及び凹部２０ｂについては、以下のように定義される。厚さ方向Ｔにおいて、凸部２０ａの最高点を含む第１仮想水平面と、凹部２０ｂの最低点を含む第２仮想水平面との中間に位置する第３仮想水平面を基準として、肌側に突出する部分を凸部２０ａとし、非肌側に窪む部分を凹部２０ｂとする。ただし、凸部２０ａの最高点とは厚さ方向Ｔにおいて最も肌側に位置する点であり、凹部２０ｂの最低点とは厚さ方向Ｔにおいて最も非肌側に位置する点である。凸部２０ａの（最大）高さ及び凹部２０ｂの（最大）深さは、本考案の効果を阻害しない限り特に制限はないが、例えば０．１０ｍｍ〜６．０ｍｍの範囲内であり、好ましくは０．１０ｍｍ〜４．０ｍｍの範囲内である。凸部２０ａの（最大）幅及び凹部２０ｂの（最大）幅は、本考案の効果を阻害しない限り特に制限はないが、例えば０．１０ｍｍ〜１５ｍｍであり、好ましくは０．５０ｍｍ〜１０ｍｍである。
【００２４】
本実施形態では好ましい態様として、液透過性シート２の凸部２０ａの非肌側の表面と吸収層４との間には中空部２０ｃが形成される。凸部２０ａが中空部２０ｃを有することで、液透過性シート２の端部２１において、その表面に加えて裏面が周辺雰囲気に接することができ、周辺雰囲気に接する面積を大きくできると共に、良好なクッション性を得ることができる。一方、凸部２０ａが中空部２０ｃを有さず、中実構造（図示されず）を有する場合には、液透過性シート２と吸収層４との間に空隙が形成され難くなる。そのため、温感剤（後述）を吸収層４から液透過性シート２へより良好に移行できると共に、排泄液を液透過性シート２から吸収層４へより良好に移行できる。
【００２５】
本実施形態では、液透過性シート２の凹凸構造２０は、凸部２０ａ及び凹部２０ｂが幅方向Ｗに連続的に延出する構造を有している。ただし、凸部２０ａ及び凹部２０ｂが幅方向Ｗに間欠的に延出する構造を有していてもよい。また、凸部２０ａ及び凹部２０ｂが液透過性シート２の端部２１の外縁２１ｅまで延出してもよいし、しなくてもよい。また、凸部２０ａ及び凹部２０ｂが幅方向Ｗではなく、長手方向Ｌに延出してもよい。また、液透過性シート２は、複数の不織布が積層されて構成されてもよい。更に、液透過性シート２は凹凸構造２０を有していなくてもよい。図３は、図１の他の構成例のＩＩ−ＩＩ線に沿った断面図である。このパンティライナー１は、液透過性シート２の凹凸構造２０を有していない。この場合、排泄口から液透過性シート２を介して吸収層４への排泄液の移行や、温感層９から液透過性シート２を介して肌面への温感剤の移行をより円滑にできる。
【００２６】
パンティライナー１は、平面視にて、パンティライナー１の中央に位置する領域である中央部ＤＣと、中央部ＤＣを囲繞する領域であって、中央部ＤＣの外縁１１からパンティライナー１の外縁１０までの領域である外周部ＤＥと、を含んでいる。中央部ＤＣは帯状の外周部ＤＥで環状に囲まれている。したがって、中央部ＤＣの外縁１１は、中央部ＤＣと外周部ＤＥとの境界１２でもある。ここで、パンティライナー１の外縁１０（外周部ＤＥの外縁でもある）は、長手方向Ｌの外縁１０ａと、幅方向Ｗの外縁１０ｂとを含んでいる。同様に、中央部ＤＣの外縁１１は、長手方向Ｌの外縁１１ａと、幅方向Ｗの外縁１１ｂとを含み、したがって、境界１２は、長手方向Ｌの境界１２ａと、幅方向Ｗの境界１２ｂとを含んでいる。液透過性シート２の端部２１と、吸収層４の端部４１と、液不透過性シート３の端部３１とは、平面視で外周部ＤＥと重なっており、したがって、それらは外周部ＤＥを構成している。中央部ＤＣは、着用者の排泄口が当接する排泄口当接域を含んでいる。
【００２７】
パンティライナー１は、中央部ＤＣ内の少なくとも吸収層４上に配置された、ＴＲＰチャネルを活性化する温感剤を含む温感層９を備えている。ただし、温感層９が吸収層４上に配置されるという場合、吸収層４の上に配置される場合だけでなく、吸収層４の上部領域に一部拡散している場合も含んでいる。更に、温感層９は、液透過性シート２に配置されてもよい。温感層９は、中央部ＤＣ内に配置されているから、排泄口当接域及びその周辺に対応する領域に配置されているということができる。温感層９は、製造時に温感剤が塗布される塗布部分９Ｐと、塗布後に温感剤が塗布部分９Ｐの外縁から平面方向外側へ向かい拡散して形成され、塗布部分９Ｐを囲繞する拡散部分９Ｑと、を含んでいる。塗布部分９Ｐは、中央部ＤＣ内に長手方向Ｌに延びる略矩形形状の部分である。一方、拡散部分９Ｑは、中央部ＤＣを囲繞する不定形な部分であり、例えば長手方向Ｌの両短辺が丸みを帯びた略角丸四角形状の部分である。拡散部分９Ｑの大きさは、最大で中央部ＤＣの大きさ程度である。本実施形態では、温感層９の外縁、すなわち拡散部分９Ｑの外縁は、温感層９の温感剤の量が、最大量（中央部ＤＣの中央付近）の１／１０になる位置とする。
【００２８】
パンティライナー１は、更に、中央部ＤＣと外周部ＤＥとの境界１２のうちの、幅方向Ｗの両側の境界１２ａ及び長手方向Ｌの両側の境界１２ｂに、液透過性シート２及び吸収層４を圧搾して形成された圧搾部８を有している。本実施形態では、圧搾部８は、中央部ＤＣと外周部ＤＥとの境界１２のうちの、幅方向Ｗの両側の境界１２ａに形成された圧搾部８ａと、長手方向Ｌの両側の境界１２ｂに形成された圧搾部８ｂとを含んでいる。圧搾部８ａは幅方向Ｗの両側の境界１２ａの全域に亘って形成され、圧搾部８ｂは長手方向Ｌの両側の境界１２ｂの全域に亘って形成されている。したがって、中央部ＤＣは圧搾部８（８ａ、８ｂ）に囲まれている。言い換えると、圧搾部８が、中央部ＤＣと外周部ＤＥとの境界１２を構成しており、したがって、圧搾部８の位置が、中央部ＤＣと外周部ＤＥとの境界１２の位置である。そして、圧搾部８の位置が、液透過性シート２の端部２１とそれ以外の位置との境界の位置であり、吸収層４の端部４１とそれ以外の位置との境界の位置であり、液不透過性シート３の端部３１とそれ以外の位置との境界の位置である。ただし、圧搾部８は、圧搾部８ａ及び圧搾部８ｂのいずれか一方だけであってもよい。圧搾部８ａは幅方向Ｗの両側の境界１２ａの一部に形成されてもよく、圧搾部８ｂは長手方向Ｌの両側の境界１２ｂの一部に形成されてもよい。圧搾部８ａは幅方向Ｗの両側の境界１２ａのいずれか一方に形成されてもよく、圧搾部８ｂは長手方向Ｌの両側の境界１２ｂのいずれか一方に形成されてもよい。
【００２９】
このとき、圧搾部８の厚さは、外周部ＤＥの平均厚さよりも薄くなっている。ここで、外周部ＤＥの幅、すなわち圧搾部８とパンティライナー１の外縁１０との間の距離について、その下限及び上限は、以下のとおりである。下限としては、外周部ＤＥの吸収層４の繊維密度を圧搾部８の吸収層４の繊維密度よりも小さくする観点、すなわち外周部ＤＥの吸収層４の平均厚さを圧搾部８の吸収層４の平均厚さよりも厚くする観点から、例えば０．５ｍｍ以上が挙げられ、１ｍｍ以上が好ましく、２ｍｍ以上がより好ましい。外周部ＤＥの吸収層４の繊維密度を圧搾部８の吸収層４の繊維密度よりも小さくすることで、外周部ＤＥの吸収層４が周辺雰囲気から吸収した水分を圧搾部８の吸収層４へ繊維密度差により移行できる。一方、上限としては、排泄液が外縁１０から漏洩することを防止する観点から、１０ｍｍ以下が挙げられ、７ｍｍ以下が好ましく、４ｍｍ以下がより好ましい。
【００３０】
本実施形態では、圧搾部８は、ドット状に形成されており、平面視にてパンティライナー１の外縁１０から平面方向の内側に離れた位置に、外縁１０に沿うように配置されている。そして、液透過性シート２、吸収層４及び液不透過性シート３をパンティライナー１の厚さ方向Ｔに一体化している。複数のドット状の圧搾部８は、所定の模様を描くように並んで配置されている。複数の圧搾部８は、液透過性シート２、吸収層４及び液不透過性シート３をこの順に積層した積層体を、エンボス加工手段（例示：一対の加圧ロール）を用いて厚さ方向Ｔに挟持し、圧搾して形成されている。したがって、各圧搾部８は、他の部分よりも相対的に密度が高く、それにより硬さも相対的に硬くなっている。しかし、本実施形態に係るパンティライナー１は、複数のドット状の圧搾部８がパンティライナー１の外縁１０から平面方向の内側に離れた位置に配置されているため、硬さの硬い圧搾部８が着用者の大腿部や鼠蹊部等の肌面に接触し難く、かかる圧搾部８による異物感を着用者に与え難くなっている。
【００３１】
本実施形態の好ましい態様として、複数の圧搾部８は、平面視にて、パンティライナー１の外縁１０の全域に沿って間欠的に配置されている。それにより、パンティライナー１の形状を保持することができると共に、排泄物が外縁１０から漏出することを防止できる。複数の圧搾部８は、外縁１０の全域に沿って連続的に配置されてもよい。
【００３２】
本実施形態では、複数の圧搾部８は、所定の模様を描くように並んで配置されている。ただし、複数の圧搾部８の配置は、外縁１０から平面方向の内側に離れた位置に配置されている限り、特に制限されず、直線状、曲線状、波線状、ジグザグ状等の任意の形態で配置できる。また、本実施形態において、各圧搾部８は、平面視で略円形の形状を有している。ただし、各圧搾部８の平面視の形状は、特に制限されず、楕円形、三角形、四角形、星形、直線状、波線状、幾何学的図形などの任意の形状を採用できる。各圧搾部８のサイズは、本考案の効果を阻害しない限り特に制限されず、パンティライナー１の形状保持性や排泄物の漏出防止性、柔軟性等を考慮した任意のサイズを採用することができる。本実施形態では、約０．５ｍｍ角の矩形の形状を有し、約１．０ｍｍ間隔で配置されている。
【００３３】
吸収層４（の端部４１）の外縁４１ｅは、平面視で、圧搾部８に隣接する外周部ＤＥの外縁、すなわちパンティライナー１の外縁１０まで延在している。したがって、吸収層４の外縁４１ｅは、平面視で、パンティライナー１の外縁１０に重なっている。本実施形態では、平面視で、外縁４１ｅは、パンティライナー１の幅方向Ｗの両側の外縁１０ａと全域に亘って重なり、長手方向Ｌの両側の外縁１０ｂと全域に亘って重なる。ただし、外縁４１ｅは、外縁１０ａ及び外縁１０ｂのいずれか一方だけに重なってもよい。外縁４１ｅは、長手方向Ｌに沿った部分の一部で外縁１０ａと重なってもよく、幅方向Ｗに沿った部分の一部で外縁１０ｂと重なってもよい。外縁４１ｅは、幅方向Ｗの両側の外縁１０ｂのいずれか一方に重なっていてもよく、長手方向Ｌの両側の外縁１０ｂのいずれか一方に重なっていてもよい。
【００３４】
また、本実施形態では、液不透過性シート３の非肌側の表面には、幅方向Ｗに連続的に延びる粘着剤が長手方向Ｌに沿って間隔を空けて複数本並ぶように（ストライプ状に）配置された着衣固定用の粘着層６が配置されている。本実施形態では、粘着剤６は、パンティライナー１の外縁１０に対向する端縁が、外縁１０と重なるように配置されている。更に、粘着層６の非肌側の表面には、液不透過性シート３の非肌側の略全面を覆うように、使用前の粘着層６を保護するための剥離シート５が配置されている。
【００３５】
次に、本実施形態に係るパンティライナー１の使用態様について説明する。
着用者は、パンティライナー１を着用する場合、剥離シート５を剥がし、パンティライナー１を粘着層６により着用者の着衣（例示：ショーツ）の内側の表面に固定する。そして、着用者は、液透過性シート２が排泄口及びその周辺の領域（以下、「排泄口領域」ともいう。）に対面しつつ接触するようにして着衣を着用する。それにより、パンティライナー１は、着用者の排泄口領域に温感層９が対向するように着衣に固定されて、その状態で使用される。
【００３６】
パンティライナー１が着衣に固定され、使用されると、温感層９に含まれる温感剤は、液透過性シート２を透過して、着用者の肌に接触する。着用者の肌に接触した温感剤は、接触部分のＴＲＰチャネルを効率よく活性化する。接触部分のＴＲＰチャネルが活性化されると、交感神経系を介して、接触部分から熱が生じ、着用者の肌における接触部分の温度を上昇させることが期待できる。その結果、着用者の子宮に近い部位を温め、痛み物質プロスタグランジンを排出させ、着用者の生理痛を緩和することが期待される。また、着用者の子宮に近い部位を温めることにより、着用者の月経前症候群（Ｐｒｅｍｅｎｓｔｒｕａｌ  Ｓｙｎｄｒｏｍｅ）、冷え性、更年期障害等を軽減することが期待される。また、血行促進（リンパの流れの促進）により老廃物排出と冷え改善、脂肪燃焼向上、免疫力向上などが期待される。
【００３７】
上記のような使用態様において、ＴＲＰチャネルを活性化する温感剤を用いて着用者に温感を知覚させるためには、水分が必要である。水分により、着用者の肌の主に角質層が膨潤し、温感剤が、角化細胞（ケラチノサイト）に主に存在するＴＲＰチャネルに到達し易くなるからである。そこで、本パンティライナー１では、上記のように、パンティライナー１の中央部ＤＣに温感層９が配置される。そして、中央部ＤＣと外周部ＤＥとの境界１２のうちの幅方向Ｗ及び／又は長手方向Ｌの両側の境界１２ａ及び／又は境界１２ｂに、圧搾部８ａ及び／又は圧搾部８ｂが形成される。更に、吸収層４の外縁４１ｅが、平面視で、圧搾部８ａ及び／又は圧搾部８ｂに隣接する外周部ＤＥの外縁（すなわちパンティライナー１の外縁１０ａ及び／又は外縁１０ｂ）まで延在している。そのため、パンティライナー１における圧搾部８よりも外側の外縁１０近傍において、水分（湿気）を吸収し易い吸収層４（の外縁４１ｅ）によって、周辺雰囲気の水分（湿気）を取り込むことができる。ここで、パンティライナー１では圧搾部８における吸収層４の繊維密度が相対的に高く、したがって、パンティライナー１における圧搾部８よりも外側の外縁４１ｅ近傍では、吸収層４の繊維密度が相対的に低く、圧搾部８に向かうに連れてその繊維密度が相対的に高くなっている。したがって、外縁４１ｅ近傍において、吸収層４にて取り込まれた水分を、繊維密度の勾配により圧搾部８へ引き込むことができる。そして、圧搾部８付近では水分の量が増加し、高濃度になるため、その水分を圧搾部８から肌側へ蒸気又は水滴として放出させることができる（非肌側へは液不透過性シート３が存在するため水分を放出できない）。それにより、着用者の肌近傍の水分を多くでき、温感剤をＴＲＰチャネルに到達し易くできる。その結果、温熱感知時間を短くでき、着用者が温熱感知時間に痒みを覚えることを抑制できる。すなわち、着用の初期に着用者が痒みを覚え難くすることが可能な、ＴＲＰチャネルを活性化する温感剤を含むパンティライナー１（吸収性物品）を提供できる。
【００３８】
本実施形態では好ましい態様として、パンティライナー１は、中央部ＤＣと外周部ＤＥとの境界１２のうちの、長手方向Ｌの両側の境界１２ｂ及び幅方向Ｗの両側の境界１２ａに、圧搾部８（圧搾部８ｂ、圧搾部８ａ）を有している。
本パンティライナー１では、中央部ＤＣを囲むように、すなわち温感層９を囲むように圧搾部８が形成され、吸収層４の全周の外縁４１ｅが平面視で圧搾部８を囲む外周部ＤＥの外縁（すなわちパンティライナー１の外縁１０）まで延在している。そのため、温感層９を囲む広い範囲の外周部ＤＥにおいて、吸収層４により、より多くの水分（湿気）を取り込むことができる。それにより、着用者の肌近傍の水分をより多くでき、温感剤をＴＲＰチャネルにより到達し易くできる。その結果、温熱感知時間をより短くでき、着用者が温熱感知時間に痒みを覚えることをより抑制できる。
【００３９】
本実施形態では好ましい態様として液透過性シート２が賦形されている。更に別の実施形態では、吸収層４が賦形されていてもよい。
本パンティライナー１では、液透過性シート２が賦形されており、更に吸収層４が賦形されていてもよい。その場合、液透過性シート２、又は、液透過性シート２及び吸収層４は、少なくとも圧搾部８よりも外縁１０側の部分において、表面積をより大きくすることができ、したがって、より多くの水分（湿気）を取り込むことができる。それにより、着用者の肌近傍の水分をより多くでき、温感剤をＴＲＰチャネルにより到達し易くできる。その結果、温熱感知時間をより短くでき、着用者が温熱感知時間に痒みを覚えることをより抑制できる。
【００４０】
特に、本実施形態では、上記のように液透過性シート２が賦形されて、凹凸構造を有している。そのため、液透過性シート２の少なくとも一部の端部２１（図１の場合、特に長手方向Ｌの両側の端部２１）の端縁２１ｅが自由端として形成される。そのような端部２１では、その表面に加えて裏面が周辺雰囲気に接することができるので、周辺雰囲気に接する面積が大きくなっている。そのため、液透過性シート２は、そのような端部２１からより多くの水分（湿気）を取り込むことができる。更に、そのような端部２１の非肌側の表面に対面する吸収層４の端部の肌側の表面は、液透過性シート２に覆われておらず、周辺雰囲気に接することができる。そのため、吸収層４は、そのような端部からより多くの水分（湿気）を取り込むことができる。
【００４１】
本実施形態では好ましい態様として、パンティライナー１は、液不透過性シート３の非肌側に粘着層６を更に備えており、粘着層６の外縁が、平面視で、パンティライナー１の外縁１０に重なるように配置されている。
本パンティライナー１では、パンティライナー１の外縁１０まで、すなわち外周部ＤＥの外縁まで粘着層６が配置されているので、装着時に外周部ＤＥが折り返ってしまい周辺雰囲気から水分（湿気）を取り込めなくなる事態を抑制できる。それにより、着用者の肌近傍の水分を多くして温熱感知時間を短くできる効果をより確実に奏することができ、着用者が温熱感知時間に痒みを覚えることをより抑制できる。
【００４２】
本考案の別の実施形態として、パンティライナー１は、液透過性シート２と吸収層４との間に配置された中間シート（図示されず）を更に備えてもよい。このとき、液透過性シート２の繊維密度は中間シートの繊維密度より低く、中間シートの繊維密度は吸収層４の繊維密度よりも低いことが好ましい。
すなわち、繊維密度が吸収層４、中間シート及び液透過性シート２の順に、すなわち非肌側から肌側へ順に低くなることが好ましい。この場合、排泄液が液透過性シート２に排泄されたとき、その排泄物を、繊維密度の勾配に沿って、すなわち繊維密度の低い側から高い側へ順当に拡散させることができ、吸収層４で吸収することができる。一方、温感層９の温感剤は、吸収層４に配置されているため、その温感剤の濃度勾配、すなわち吸収層４で最高濃度であり液透過性シート２で最低濃度である濃度勾配により、液透過性シート２側へ拡散させることができ、着用者の肌へ移行させることができる。ただし、上記の繊維密度の勾配を濃度勾配とは逆にしているため、繊維密度勾配と濃度勾配との競合により、液透過性シート２側への拡散の進行を遅くすることができる。その結果、温感剤を少しずつ肌面へ到達させることができ、着用者が痒みを覚える時間を遅らせることができる。それにより、着用者が痒みを覚える前に、取り込まれた水分を肌側に供給することができる。よって、着用者が温熱感知時間に痒みを覚えることをより抑制できる。加えて、液透過性シート２側への拡散の進行を遅くできるので、温感剤の効果を長時間にわたり持続できる。このような特徴は、特に、パンティライナー１のような長時間着用する吸収性物品において効果的である。なお、中間シートを備えない場合でも、液透過性シート２の繊維密度が吸収層４の繊維密度よりも低いこと、すなわち、繊維密度が吸収層４及び液透過性シート２の順に、すなわち非肌側から肌側へ順に低くなることで、上述された効果を奏することができる。
【００４３】
［吸収性物品における各資材等］
次に、上記の実施形態におけるパンティライナー１（吸収性物品）における各資材等について説明する。
【００４４】
＜温感層９＞
上記の実施形態における温感層９は、温感剤を含んでいる。
温感剤は、ＴＲＰチャネルを活性化する温感成分と、溶媒成分とを含んでいる。温感成分としては、ＴＲＰチャネルを活性化するものであれば、特に制限されず、例えば、ＴＲＰＶ１レセプターに対するアゴニスト、ＴＲＰＶ３レセプターに対するアゴニスト等が挙げられ、ＴＲＰＶ１に対するアゴニストであることが好ましい。ＴＲＰＶ１レセプターは、活性化温度閾値が４３℃超と高いからである。それにより、パンティライナー１の着用時に、パンティライナー１を発熱させなくても、着用者が、４３℃超の高い温度を感じることができる。それにより、温感層９の温感効果をより維持・向上させることができる。
【００４５】
温感成分は、着用者の安心感の観点から、植物由来の化合物であることが好ましい。温感成分としては、例えば、カプシコシド、カプサイシン、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例えば、バニリルエチルエーテル、バニリルブチルエーテル、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール、ジンゲロン、ヘスペリジン、及びピロリドンカルボン酸、並びにそれらの任意の組み合わせが挙げられる。
【００４６】
温感成分は、着用者が痛さを感じにくい観点から、カプサイシンではないことが好ましく、バニリルアルコールアルキルエーテル誘導体（例えば、バニリルエチルエーテル、バニリルブチルエーテル、バニリルペンチルエーテル、バニリルヘキシルエーテル、ショウガエキス、ジンジャーオイル、ジンゲロール、及びジンゲロン、並びにそれらの任意の組み合わせがより好ましい。
【００４７】
溶媒成分としては、温感成分を含むことができるものであれば、特に限定されず、例えば、親油性溶媒及び親水性溶媒が挙げられる。溶媒成分は、温感成分を、例えば、溶解、分散等することができる。親油性溶媒としては、油脂、例えば、天然油（例えば、トリグリセリド等の脂肪酸エステル、ヤシ油、アマニ油等）、炭化水素（例えば、パラフィン、例えば、流動パラフィン）等が挙げられる。親水性溶媒としては、水及びアルコールが挙げられる。上記アルコールとしては、メタノール、エタノール、エチレングリコール、グリセリン等の低級アルコール、カプリルアルコール、ラウリルアルコール、ミリスチルアルコール等の高級アルコール等が挙げられる。
【００４８】
溶媒成分としては、揮発性を制御しやすい、特に揮発性を下げやすい観点からは、油脂（親油性溶媒）又はアルコール（親水性溶媒）が好ましい。また、パンティライナー１（吸収性物品）では、吸収性能の低下を抑制する観点から、溶媒成分は親油性溶媒であることが好ましい。それにより、温感層９の温感剤が吸収層４に移動し難く、吸収層４の吸収性能を阻害し難くできる。更に、溶媒成分が親油性溶媒を含むため、溶媒成分が蒸散し難く、温感剤を着用者に長期に亘り効率的に供給することができ、温感効率を低下し難くできる。ただし、本願考案者が確認したところ、温感剤を構成する溶媒成分が親油性溶媒を含む場合には、温感剤を構成する溶媒成分が親水性溶媒、例えば水である場合と比較して、温熱感知時間が長くなる傾向があった。しかし、本パンティライナー１（吸収性物品）は、上記の所定の構成を有するため、温熱感知時間を短くすることができ、着用者が痒みを覚え難くすることができる。れにより、温感層の効果をより維持しつつ、着用者が温熱感知時間に痒みを覚えることを抑制できる。
【００４９】
温感剤は、温感成分を、好ましくは０．０００１〜１０．０質量％、より好ましくは０．０００５〜７．０質量％、更に好ましくは０．１〜５．０質量％、更により好ましくは０．３〜３．０質量％含む。温感の効果の観点からである。
【００５０】
本パンティライナー１は、温感剤を、温感成分の坪量が好ましくは０．００１〜１０ｇ／ｍ2、より好ましくは０．００３〜５ｇ／ｍ2、更に好ましくは０．０１〜２．５ｇ／ｍ2、更により好ましくは０．０５〜１．５ｇ／ｍ2となるような坪量で含む。着用者に温感を付与する観点からである。
【００５１】
本パンティライナー１では、温感剤は、温感成分及び溶媒成分以外に、着用者に温感を付与する効果を阻害しない範囲で、下記に示されるような、少なくとも一種類の他の成分を含むことができる。
【００５２】
上記少なくとも一種の他の成分としては、例えばビタミンが挙げられる。ビタミンとしては、例えば水溶性ビタミン、脂溶性ビタミンが挙げられる。水溶性ビタミンとしては、例えばビタミンＢ群、ビタミンＣが挙げられる。脂溶性ビタミンとしては、例えばビタミンＡ群、ビタミンＤ群、ビタミンＥ群、およびビタミンＫ群等が挙げられる。ビタミンにには、それらの誘導体も含まれる。
【００５３】
上記少なくとも一種の他の成分としては、例えば、アミノ酸、例えば、アラニン、アルギニン、リジン、ヒスチジン、プロリン、ヒドロキシプロリン等、並びにペプチドが挙げられる。また、上記少なくとも一種の他の成分としては、例えば、ゼオライト、例えば、天然ゼオライト、例えば、方沸石、菱沸石、輝沸石、ナトロライト、束沸石、及びソモソナイト、並びに、合成ゼオライトが挙げられる。また、上記少なくとも一種の他の成分としては、例えば、コレステロール、ヒアルロン酸、レシチン、セラミド、プラセンタ、コラーゲン、エラスチン、スクワラン、ワセリン、トレハロース等が挙げられる。
【００５４】
また、上記少なくとも一種の他の成分としては、例えば、薬剤、例えば、皮膚収斂剤、抗ニキビ剤、抗シワ剤、抗セルライト剤、美白剤、抗菌剤、抗カビ剤等が挙げられる。上記皮膚収斂剤としては、例えば、酸化亜鉛、硫酸アルミニウム、タンニン酸等、油溶性皮膚収斂剤、例えば、油溶性ポリフェノールが挙げられる。上記油溶性ポリフェノールとしては、天然の油溶性ポリフェノール、例えば、オオバクエキス、オトギリソウエキス、オドリコソウエキス、カモミラエキス、ゴボウエキス、サルビアエキス、シナノキエキス、セイヨウボダイジュエキス、シラカバエキス、スギナエキス、セージエキス、サルビアエキス、テウチグルミエキス、ハイビスカスエキス、ビワ葉エキス、ボダイジュエキス、ホップエキス、マロニエエキス、ヨクイニンエキス等が挙げられる。上記抗ニキビ剤としては、例えば、サリチル酸、過酸化ベンゾイル、レゾルシノール、イオウ、エリスロマイシン、亜鉛等が挙げられる。上記抗シワ剤としては、例えば、乳酸、サリチル酸、サリチル酸誘導体、グリコール酸、フィチン酸、リポ酸、リソフォスファチド酸が挙げられる。上記抗セルライト剤としては、例えば、キサンチン化合物、例えば、アミノフィリン、カフェイン、テオフィリン、テオブロミン等が挙げられる。上記美白剤としては、例えば、ナイアシンアミド、コウジ酸、アルブチン、グルコサミン及び誘導体、フィトステロール誘導体、アスコルビン酸及びその誘導体、並びにクワ抽出物及び胎盤抽出物が挙げられる。
【００５５】
また、上記少なくとも一種の他の成分としては、例えば、抗炎症成分、ｐＨ調整剤、抗菌剤、保湿剤、香料、色素、染料、顔料、植物抽出エキス等が挙げられる。上記抗炎症成分としては、例えば、天然由来の抗炎症剤、例えば、ボタン、オオゴン、オトギリソウ、カモミール、甘草、モモノハ、ヨモギ、シソエキス等、合成抗炎症剤、例えば、アラントイン、グリチルリチン酸ジカリウム等が挙げられる。上記ｐＨ調整剤としては、肌を弱酸性に保つためのもの、例えば、リンゴ酸、コハク酸、クエン酸、酒石酸、乳酸等が挙げられる。上記顔料としては、例えば、酸化チタンが挙げられる。
【００５６】
本パンティライナー１及び温感剤は、発熱剤を含まないことが好ましい。それにより、着用者が、パンティライナー１を長時間使用する場合であっても、低温やけどを起こし難くすることができる。また、パンティライナー１自体が発熱しないため、パンティライナー１を着衣に固定する粘着層６が軟化し難く、パンティライナー１を着衣から取り外す際に、パンティライナー１の粘着層６が着衣や肌に残り難い。ただし、発熱剤としては、発熱剤自体が発熱するものであれば特に制限されず、例えば金属粉（例示：鉄粉）の酸化熱、酸及びアルカリの中和熱、無機塩の水和熱等の化学エネルギーを利用するものが挙げられる。
【００５７】
＜液透過性シート２＞
上記の実施形態における液透過性シート２の素材としては、液透過性を有するものであれば特に制限されず、例えば、布帛（例示：不織布、織布、編物）、開孔フィルム等が挙げられる。布帛のうち、不織布としては、例えば、エアレイドパルプ、エアスルー不織布、スパンボンド不織布、ポイントボンド不織布、スパンレース不織布、ニードルパンチ不織布、メルトブローン不織布、及びこれらの組み合わせ（例えば、ＳＭＳ等）等が挙げられる。開孔フィルムとしては、例えばポリエチレンシートやポリプロピレンシートに複数の開孔部を形成したものが挙げられる。
【００５８】
布帛を構成する繊維としては、液透過性シート２が液透過性を有する限り特に制限はなく、任意の繊維を用いることができるが、液透過性、吸液（湿）性や液保持性等の観点から、親水性繊維を用いることが好ましい。そのような親水性繊維としては、例えば、綿、混綿、粉砕パルプ等のセルロース繊維；レーヨン、フィブリルレーヨン等の再生セルロース繊維；アセテート、トリアセテート等の半合成セルロース繊維；親水化処理を施した熱可塑性樹脂繊維や複合繊維；吸湿性発熱繊維などが挙げられる。これらの中でも、吸液性や液保持性、柔軟性、肌触り等に優れるという点から、セルロース繊維や再生セルロース繊維、半合成セルロース繊維等のセルロース系繊維又は吸湿性発熱繊維が好ましい。特に、綿、混綿、レーヨン、吸湿性発熱繊維が好ましい。
【００５９】
実施形態の好ましい態様として、液透過性シート２は、綿、混綿、レーヨン、吸湿性発熱繊維又はこれらの少なくとも二種類を組み合わせた混合繊維で形成された不織布を含んでいる。その場合、吸液性や液保持性、柔軟などに加えて、以下の効果を奏することができる。すなわち、吸収層４と同様に、液透過性シート２における圧搾部８の両外側の部分（外周部ＤＥ）において、周辺雰囲気の水分（湿気）を取り込むことができると共に、液透過性シート２の肌側の表面全体で周辺雰囲気から水分（湿気）を取り込むことができる。それにより、着用者の肌近傍の水分を多くした温熱感知時間を短くできる効果をより確実に奏することができ、着用者が温熱感知時間に痒みを覚えることをより抑制できる。
【００６０】
液透過性シート２の坪量・厚さ・繊維密度は以下のとおりである。坪量は、本考案の効果を阻害しない限り特に制限されず、吸液（湿）性や液保持性等を考慮した任意の坪量を採用することができる。そのような坪量としては、例えば、５ｇ／ｍ2〜６０ｇ／ｍ2の範囲内の坪量が挙げられ、好ましくは１０ｇ／ｍ2〜５０ｇ／ｍ2の範囲内である。厚さは、本考案の効果を阻害しない限り特に制限されず、例えば、０．１ｍｍ〜５．０ｍｍの範囲内の厚みを採用することができる。ただし、吸液（湿）性や液保持性等を考慮して、好ましくは０．５ｍｍ〜３．０ｍｍの範囲内である。繊維密度は、例えば、０．００１ｇ／ｃｍ３〜０．６ｇ／ｃｍ３の範囲内の繊維密度を採用することができる。ただし、吸液（湿）性や液保持性等を考慮して、好ましくは０．００３ｇ／ｃｍ３〜０．１ｇ／ｃｍ３の範囲内である。本実施形態では、坪量：２５．０ｇ／ｍ2、厚さ：１．３ｍｍ、繊維密度：０．０１９ｇ／ｃｍ３のエアスルー不織布である。
【００６１】
＜吸収層４＞
上記の実施形態における吸収層４の素材としては、吸液（湿）性、液保持性を有するものであれば特に制限されず、例えば、吸収性シートが挙げられる。吸収性シートとしては、例えば、吸収性材料によって構成される吸収コアや、その吸収コアを親水性のティッシュ等のコアラップシートで覆ったものなどが挙げられる。吸収コアを構成する吸収性材料としては、当分野において公知の任意の吸収体を用いることができるが、例えば、吸液（湿）性や液保持性等の観点から親水性繊維や高吸収性ポリマーなどが挙げられる。具体的には、粉砕パルプ、コットン等のセルロース繊維；レーヨン、フィブリルレーヨン等の再生セルロース繊維；アセテート、トリアセテート等の半合成セルロース繊維；アクリル酸ナトリウムコポリマー等の高吸収性ポリマーからなる粒状物；及びこれらのうちの少なくとも二種以上を任意に組み合わせたものなどが挙げられる。吸収層４は、複数の吸収性シートが積層された積層構造を有するシート状部材によって構成されていてもよい。
【００６２】
吸収層４の坪量・厚さ・繊維密度は以下のとおりである。坪量は、本考案の効果を阻害しない限り特に制限されず、特に制限されず、所望の吸液（湿）性や液保持性等を考慮した任意の坪量を採用することができる。そのような坪量としては、例えば、２０ｇ／ｍ2〜２００ｇ／ｍ2の範囲内の坪量が挙げられ、好ましくは３０ｇ／ｍ2〜１００ｇ／ｍ2の範囲内である。厚さは、本考案の効果を阻害しない限り特に制限されず、例えば、０．１ｍｍ〜８．０ｍｍの範囲内の厚みを採用することができる。ただし、吸液（湿）性や液保持性等を考慮して、好ましくは０．５ｍｍ〜５．０ｍｍの範囲内である。繊維密度は、例えば、０．００２５ｇ／ｃｍ３〜２ｇ／ｃｍ３の範囲内の厚みを採用することができる。ただし、吸液（湿）性や液保持性等を考慮して、好ましくは０．００６ｇ／ｃｍ３〜０．２ｇ／ｃｍ３の範囲内である。本実施形態では、坪量：６０．０ｇ／ｍ2、厚さ：１．２５ｍｍ、繊維密度：０．０７５ｇ／ｃｍ３のエアレイド不織布である。なお、吸収層４が複層構造を有するシート状部材からなる場合は、各層の坪量・厚さの合計が上述の範囲内にあればよく、各層の密度が上述の範囲内にあればよい。
【００６３】
＜液不透過性シート３＞
上記の実施形態における液不透過性シート３の素材としては、液不透過性を有するものであれば特に制限されず、例えばフィルム、例えば、ポリエチレン、ポリプロピレン等のフィルム、通気性を有する樹脂フィルム、スパンボンド又はスパンレース等の不織布に通気性を有する樹脂フィルムを接合したもの、ＳＭＳ等の複層不織布等が挙げられる。液不透過性シート３の坪量は特に制限はなく、例えば１０〜６０ｇ／ｍ2が挙げられ、１５〜５０ｇ／ｍ2が好ましい。液不透過性シート３の厚さは特に制限はなく、例えば０．１０ｍｍ〜３．０ｍｍが挙げられる。
【００６４】
＜中間シート＞
本考案の別の実施形態として、パンティライナー１が液透過性シート２と吸収層４との間に中間シート（図示されず）を含む場合、中間シートの素材としては、液透過性シート２の素材として列挙されるものが挙げられる。中間シートの坪量・厚さ・繊維密度としては、液透過性シート２と同程度の範囲内の値が挙げられる。中間シートの一例としては、例えば、坪量：３０．０ｇ／ｍ2、厚さ：１．５ｍｍ、繊維密度：０．０２ｇ／ｃｍ３のエアスルー不織布が挙げられる。
【００６５】
なお、各種シートの坪量は、ＪＩＳ  Ｌ  １９０６の５．２に従って測定することができる。各種シートの厚さは、測定対象のシートから、所定サイズ（例示：３０ｍｍ×３０ｍｍ）のサンプルシートを切り出し、切り出したサンプルシートをカトーテック（株）製の自動化圧縮試験機（型式：ＫＥＳ  ＦＢ−３Ａ）にセットして、当該試験機の測定端子によるサンプルシートへの圧力が４９Ｐａとなるときの厚み（ｍｍ）を測定することにより得ることができる。各種シートの繊維密度は、坪量を厚さで除算することにより得ることができる。
【００６６】
＜粘着層６＞
上記の実施形態における粘着層６の素材としては、パンティライナー１を着用者の着衣に固定し得るものであれば特に制限されず、任意の粘着剤を用いることができる。粘着剤としては、例えば、スチレン−エチレン−ブタジエン−スチレン（ＳＥＢＳ）、スチレン−ブタジエン−スチレン（ＳＢＳ）、スチレン−イソプレン−スチレン（ＳＩＳ）等のゴム系を主体とした、又は直鎖状低密度ポリエチレン等のオレフィン系を主体とした感圧型接着剤又は感熱型接着剤；水溶性高分子（例えば、ポリビニルアルコール、カルボキシルメチルセルロース、ゼラチン等）又は水膨潤性高分子（例えば、ポリビニルアセテート、ポリアクリル酸ナトリウム等）からなる感水性接着剤等が挙げられる。
【符号の説明】
【００６７】
１    パンティライナー（吸収性物品）
２    液透過性シート
４    吸収層
８    圧搾部
９    温感層
ＤＣ    中央部
ＤＥ    外周部
【図１】
0003215313.tif 000003
【図２】
0003215313.tif 000004
【図３】
0003215313.tif 000005
【手続補正書】
【提出日】平成30年1月17日(2018.1.17)
【手続補正１】
【補正対象書類名】明細書
【補正対象項目名】０００６
【補正方法】変更
【補正の内容】
【０００６】
本考案における吸収性物品は、互いに直交する長手方向、幅方向及び厚さ方向を有し、液透過性シートと、液不透過性シートと、前記液透過性シートと前記液不透過性シートとの間に配置された吸収層とを備える吸収性物品であって、前記吸収性物品は、平面視にて、前記吸収性物品の中央に位置する領域である中央部と、前記中央部を囲繞し、前記中央部の外縁から前記吸収性物品の外縁までの領域である外周部と、を含み、更に、前記吸収性物品は、前記中央部内の少なくとも前記吸収層上に配置され、ＴＲＰチャネルを活性化する温感剤を含む温感層を備え、前記中央部と前記外周部との境界のうちの、前記長手方向の境界及び前記幅方向の境界の少なくとも一方に、前記液透過性シート及び前記吸収層を圧搾して形成された圧搾部を有しており、前記吸収層の外縁は、平面視で、前記圧搾部に隣接する前記外周部の外縁まで延在している、吸収性物品。
【手続補正２】
【補正対象書類名】明細書
【補正対象項目名】０００９
【補正方法】変更
【補正の内容】
【０００９】
具体的には、本考案の開示は以下の態様に関する。
［態様１］
互いに直交する長手方向、幅方向及び厚さ方向を有し、液透過性シートと、液不透過性シートと、前記液透過性シートと前記液不透過性シートとの間に配置された吸収層とを備える吸収性物品であって、前記吸収性物品は、平面視にて、前記吸収性物品の中央に位置する領域である中央部と、前記中央部を囲繞し、前記中央部の外縁から前記吸収性物品の外縁までの領域である外周部と、を含み、更に、前記吸収性物品は、前記中央部内の少なくとも前記吸収層上に配置され、ＴＲＰチャネルを活性化する温感剤を含む温感層を備え、前記中央部と前記外周部との境界のうちの、前記長手方向の両側の境界及び前記幅方向の両側の境界の少なくとも一方に、前記液透過性シート及び前記吸収層を圧搾して形成された圧搾部を有しており、前記吸収層の外縁は、平面視で、前記圧搾部に隣接する前記外周部の外縁まで延在している、吸収性物品。
【手続補正３】
【補正対象書類名】実用新案登録請求の範囲
【補正対象項目名】全文
【補正方法】変更
【補正の内容】
【実用新案登録請求の範囲】
【請求項１】
互いに直交する長手方向、幅方向及び厚さ方向を有し、液透過性シートと、液不透過性シートと、前記液透過性シートと前記液不透過性シートとの間に配置された吸収層とを備える吸収性物品であって、
前記吸収性物品は、
平面視にて、前記吸収性物品の中央に位置する領域である中央部と、
前記中央部を囲繞し、前記中央部の外縁から前記吸収性物品の外縁までの領域である外周部と、を含み、
更に、前記吸収性物品は、
前記中央部内の少なくとも前記吸収層上に配置され、ＴＲＰチャネルを活性化する温感剤を含む温感層を備え、
前記中央部と前記外周部との境界のうちの、前記長手方向の両側の境界及び前記幅方向の両側の境界の少なくとも一方に、前記液透過性シート及び前記吸収層を圧搾して形成された圧搾部を有しており、
前記吸収層の外縁は、平面視で、前記圧搾部に隣接する前記外周部の外縁まで延在している、
吸収性物品。
【請求項２】
前記吸収性物品は、前記中央部と前記外周部との境界のうちの、前記長手方向の両側の境界及び前記幅方向の両側の境界に、前記圧搾部を有する、
請求項１に記載の吸収性物品。
【請求項３】
前記液透過性シート及び前記吸収層のうちの少なくとも前記液透過性シートは、賦形されている、
請求項１又は２に記載の吸収性物品。
【請求項４】
前記吸収性物品は、前記液透過性シートと前記吸収層との間に配置された中間シートを更に備え、
前記液透過性シートの繊維密度は前記中間シートの繊維密度より低く、前記中間シートの繊維密度は前記吸収層の繊維密度よりも低い、
請求項１乃至３のいずれか一項に記載の吸収性物品。
【請求項５】
前記吸収性物品は、前記液不透過性シートの非肌側に粘着層を更に備え、
前記粘着層の外縁が、平面視で、前記吸収性物品の外縁に重なるように配置されている、
請求項１乃至４のいずれか一項に記載の吸収性物品。
【請求項６】
前記温感剤は、ＴＲＰチャネルを活性化する温感成分と溶媒成分とを含み、
前記温感成分は、ＴＲＰＶ１レセプターに対するアゴニストを含む、
請求項１乃至５のいずれか一項に記載の吸収性物品。
【請求項７】
前記溶媒成分は、親油性溶媒を含む、
請求項６に記載の吸収性物品。
【請求項８】
前記液透過性シートは、綿、混綿、レーヨン、吸湿性発熱繊維又はこれらの少なくとも二種類を組み合わせた混合繊維で形成された不織布を含む、
請求項１乃至７のいずれか一項に記載の吸収性物品。
【請求項９】
前記吸収性物品は、パンティライナーである、
請求項１乃至８のいずれか一項に記載の吸収性物品。
【請求項１０】
前記吸収性物品は、発熱剤を含まない、
請求項１乃至９のいずれか一項に記載の吸収性物品。